(57)【要約】【課題】受話部に耳孔内に挿入する突起部を設けると同時に、この突起部が携行時に邪魔にならないようにする。【解決手段】受話部１は筐体と一体成形された円筒部１４の内部に設けられたスピ−カ１３と、このスピ−カ１３からの受話音を筐体外に導くため筐体表面の表面プレ−ト２に設けられた開口部１２と、この開口部１２に設けられその先端が使用者の耳孔に挿入できる形状で、かつ不使用時には筐体内部の円筒部１４に押し込むことが可能な突起部１１と、突起部１１を外側に弾性力で押し付けて突起状態を維持するためのスプリング１５とから構成される。そして押し込んだ突起部１１の先端を、例えば右側に少し回転すると押し込んだ状態をロックすることができる。【選択図】      図１
2004179765.tif 000002
【特許請求の範囲】
【請求項１】
筐体内部に設けられた受話スピ−カと、この受話スピ−カからの受話音を筐体外に導くため筐体表面に設けられた開口部と、この開口部に設けられその先端が使用者の耳孔に挿入できる形状でかつ不使用時には筐体内部に押し込むことが可能な突起部とを備えることを特徴とする携帯電話機の受話部構造。
【請求項２】
前記突起部は、筐体内に設けられたスプリングの弾性力により突起状態を維持し、不使用時はその先端を押すことにより筐体内部に押し込むことができる構造を備えることを特徴とする請求項１記載の携帯電話機の受話部構造。
【請求項３】
前記突起部は、不使用時はその先端を押すことにより筐体内部に押し込み格納状態でロックすることができると同時に解除操作でロックを解除することができる構造を備えることを特徴とする請求項２記載の携帯電話機の受話部構造。
【請求項４】
前記突起部は、その先端部分を他に用意された先端部分と交換可能な構造を備えることを特徴とする請求項１、２あるいは３記載の携帯電話機の受話部構造。
【請求項５】
前記突起部は、その先端部分の材質に軟質弾性材、例えば合成樹脂材、ゴム材などを用いることを特徴とする請求項４記載の携帯電話機の受話部構造。
【請求項６】
前記突起部は、その先端部分を好みのカラ−のものを選択できることを特徴とする請求項４あるいは５記載の携帯電話機の受話部構造。
【発明の詳細な説明】
【０００１】
【発明の属する技術分野】
本発明は携帯電話機の受話部構造に関し、特に受話し易い携帯電話機の受話部構造に関する。
【０００２】
【従来の技術】
従来、携帯電話機の受話部構造は、筐体内部に設けられた受話スピ−カと、この受話スピ−カからの受話音を筐体外に導くため筐体表面に設けられた開口部とから構成され、使用者はこの開口部に耳を当て受話するのが一般的であった。しかし開口部は筐体の平面にあり、使用者はこの平面に耳を当てて受話することになるので、先ずこの開口部と耳との位置が定まりにくく不安感があるという問題がある。また長時間通話すると耳えのストレスから耳が痛むという問題、また歩行中の通話では振動などで耳と開口部とがはずれ安く、音量、音質が変化して快適な通話ができない、更に周囲雑音の多い環境では耳に雑音が入り安く通話品質が低下するなどの問題がある。
【０００３】
このような問題の対策として、この開口部に先端が使用者の耳孔に挿入できる形状の突起部を設けたものが考えられ、例えば図４に示した従来例がある。図４はこの従来例の（ａ）正面図、（ｂ）部分断面図である。
【０００４】
この携帯電話機４０の構造は、筐体４１の表面に筐体４１の内部から内部の基板４５に接続しているスピ−カ４２を密着して収容し、先端が使用者の耳孔に入る大きさの中空の突起部４３と、この突起部４３全体を先端からカバ−するカバ−ピ−ス４４とを有し、突起部４３は筐体４１の表面側のスピ−カ４２を収容できる大きさの円形４６と、使用者の耳側を耳孔内に入る大きさの円形４７とから成る中空の円錐台形状を有している。カバ−ピ−ス４４は突起部４３を充分密着してカバ−して先端の耳孔内に入る部分があり、かつカバ−ピ−ス４４と突起部４３との内少なくともカバ−ピ−ス４４は耳孔内に挿入しやすく耳を傷つけない軟質弾性部材で整形されている。このように突起部４３を耳孔内に挿入して受話することにより先述したような問題を解消している。（例えば、特許文献１参照。）
或いは、図５に示したような他の従来例もある。図５は他の従来例の（ａ）正面図、（ｂ）側面図である。この携帯電話機は、携帯電話機本体５０の受話口に集音器５１を挟むようにして装着する。集音器５１の円錐状に構成された集音部５３は、その内部に集音孔５４が形成されている。集音器５１を受話口に装着した状態において、受話口から出力された音声は、外部に拡散することなく、この通音孔５４を通ってその先端開口部から出力される。この集音部５３は突出しており、またその先端が細くなっているため、実際の使用時には、この集音部先端は耳に挿入された状態になっている。したがって、この先端開口部から出力された音声は効率よく耳に入る。また、集音部５３の先端が耳に挿入された状態では、周囲の雑音が耳に入るのを防止する。（例えば、特許文献２参照。）
【特許文献１】
特開平０９−２８９５３７号公報（第１−２頁）
【特許文献２】
特開２０００−３４９８７８号公報（第１−２頁）
【０００５】
【発明が解決しようとする課題】
上述した前者従来例では、突起部は固定であるので、不使用時においても突出した状態であり携行時にこの突起部が邪魔になる場合がある。また、この突起部を有する受話部を折畳式の携帯電話機に適応した場合、折り畳む時にこの突起部が邪魔になるので他方の筐体（スピ−カ側）に突起部を格納するための凹みなどを設ける必要があり構造的に複雑になるという問題がある。
【０００６】
また、後者従来例は、突起部を含む集音器を取り外すことができるので、上述した不使用時における問題はないが、取り外した集音器を携行するのが面倒であり、また無くし易いという問題がある。
【０００７】
本発明の目的は、この突起部があっても不使用時においても邪魔にならず、また取り外す必要もない携帯電話機の受話部構造を提供することにある。
【０００８】
【課題を解決するための手段】
本発明の携帯電話機の受話部構造は、筐体内部に設けられた受話スピ−カと、この受話スピ−カからの受話音を筐体外に導くため筐体表面に設けられた開口部と、この開口部に設けられその先端が使用者の耳孔に挿入できる形状でかつ不使用時には筐体内部に押し込むことが可能な突起部とを備えている。
【０００９】
前記突起部は、筐体内に設けられたスプリングの弾性力により突起状態を維持し、不使用時はその先端を押すことにより筐体内部に押し込むことができる構造としても良い。
【００１０】
また、前記突起部は、不使用時はその先端を押すことにより筐体内部に押し込み格納状態でロックすることができると同時に解除操作でロックを解除することができる構造を備え手も良い。
【００１１】
また、前記突起部は、その先端部分を他に用意された先端部分と交換可能な構造を備えるようにしても良い。
【００１２】
また、前記突起部は、その先端部分の材質に軟質弾性材、例えば合成樹脂材、ゴム材などを用いるようにしても良い。
【００１３】
更に、前記突起部は、その先端部分を好みのカラ−のものを選択できるようにしても良い。
【００１４】
【発明の実施の形態】
次に本発明の実施の形態について図面を参照して説明する。
【００１５】
図１は、本発明の実施形態例を適用した携帯電話機の概観を示す斜視図である。
図２は、本発明の実施形態例の構造を示す（ａ）使用時における断面図、（ｂ）不使用時における断面図、（ｃ）使用時における部分正面図、（ｄ）不使用時における部分正面図である。
図３は、図２における突起部の先端部の（ａ）（ｂ）各種形状を示す斜視図である。
【００１６】
先ず、図１について本発明の受話部構造を適用した携帯電話機について説明する。本携帯電話機は、筐体Ａ３と筐体Ｂ４とをヒンジを介して折り畳む折畳式の携帯電話機で、筐体Ａ３の方に本発明の受話部１とアンテナ５、表面プレ−ト２などが設けられ、筐体Ｂ４の方にマイク６などが設けられている。
【００１７】
受話部１は、その一部が図示されているが、表面プレ−ト２に明けられた開口部１２に突出して設けられた突起部１１が図示されている。使用者はこの突起部１１を耳孔内に挿入して受話する。
【００１８】
次にこの受話部１の詳細な構造を図２を参照して説明する。図２（ａ）（ｂ）は図１の受話部１のＡ−Ａ線で示した断面を示すものである。図２（ａ）において、受話部１は筐体と一体成形された円筒部１４の内部に設けられたスピ−カ１３と、このスピ−カ１３からの受話音を筐体外に導くため筐体表面の表面プレ−ト２に設けられた開口部１２と、この開口部１２に設けられその先端が使用者の耳孔に挿入できる形状で，かつ不使用時には筐体内部の円筒部１４に押し込むことが可能な突起部１１と、突起部１１を外側方向に弾性力で押し付けて突起状態を維持するためのスプリング１５とから構成される。
【００１９】
突起部１１は、交換可能な先端部１１１と、この先端部１１１の先に円形の受話孔１１１ａと、突起部を押し込む時にガイドするガイド突起１１２などを有している。また円筒部１４はガイド突起１１２が係合しスライドするためのスライド溝１４１（図２（ｃ）参照）が２本が形成されている。尚、突起部１１の交換可能な先端部１１１は、軟質弾性材の合成樹脂材で作られており、耳孔内に挿入しやすく耳を傷つけない。また、好みのカラ−のものを選択できるようになっている。
【００２０】
次に図２（ａ）〜（ｄ）を参照して動作について説明する。図２（ａ）は使用時で突起部１１が突出している状態を示し、使用者は突起部１１を耳孔内に挿入し受話孔１１１ａから受話する。通話が終了して突起部１１を押し込む時は、指でその先端を少し強く（即ち、スプリング１５の弾性力に打ち勝って）押すと突起部１１は図２（ｂ）に示すように円筒部１４の内部に押し込まれる。そして押し込んだ突起部１１の先端を、例えば右側に少し回転すると押し込んだ状態をロックすることができる。
【００２１】
このロック機構を図２（ｃ）（ｄ）で説明する。図２（ｃ）（ｄ）は、図２（ａ）（ｂ）において、それぞれＢ−Ｂ線で示した方向から見た部分正面図である。円筒部１４の上下側面には図示のような２本のガイド溝１４１が形成されており、この円筒部１４の内部に押し込まれる突起部１１側には、ガイド溝１４１に係合してスライドする２つのガイド突起１１２が設けられている。
【００２２】
即ち、図２（ｃ）はガイド突起１１２がガイド溝１４１に係合し表面プレ−ト２に当接した状態であるが、突起部１１を押し込むとガイド突起１１２はガイド溝１４１をスライドし溝端に突き当たり、そして押し込んだ突起部１１を右側に少し回転することにより、ガイド突起１１２が凹みに移行し図２（ｄ）の状態となり押し込んだ状態でロックされる。そして使用時に突起部１１を突出状態にするには、突起部１１の先端を指先で押しつつ左側に少し回転することにより、ガイド突起１１２のロックが外れてスプリング１４の弾性力により突出状態になる。
【００２３】
このガイド突起１１２とガイド溝１４１とによる突起部１１のロック機構は、折り畳み式でない携帯電話機の場合は必要であるが、折り畳み式の携帯電話機の場合は必要でない場合がある。即ち、筐体Ａ，Ｂが折り畳まれた状態でロックされるような折り畳み式携帯電話機の場合、突起部１１は折り畳むことにより同時に押し込まれてその状態を維持するので、ロック機構は二重と成るので必要ない。
【００２４】
また、突起部１１の先端部１１１は、交換可能となっている。例えば、図３（ａ）（ｂ）に示すような形状の異なった先端部１１１、１１３などを複数用意しておけば、使用者の好みにより選択して使用することができる。
【００２５】
【発明の効果】
以上説明したように本発明によれば、受話部は耳孔内に挿入する突起部を有しているが、この突起部は不使用時には指先で押すことにより、簡単に筐体内に押し込むことができるようになっているので、携行時に突起部が邪魔になることがないという効果がある。また、折り畳み式の携帯電話機に本受話部を適用した場合、折り畳むことにより同時に突起部は押し込まれるので、相対する筐体側に突起部を格納するための凹みなどを設ける必要がないという効果がある。
【図面の簡単な説明】
【図１】本発明の実施の形態例を適用した携帯電話機の概観を示す斜視図である。
【図２】本発明の実施形態例の構造を示す（ａ）使用時における断面図、（ｂ）不使用時における断面図、（ｃ）使用時における部分正面図、（ｄ）不使用時における部分正面図である。
【図３】図２における突起部の先端部の（ａ）（ｂ）各種形状を示す斜視図である。
【図４】従来例を示すの（ａ）正面図、（ｂ）部分断面図である。
【図５】他の従来例を示すの（ａ）正面図、（ｂ）側面図である。
【符号の説明】
１    受話部
２    表面プレ−ト
３    筐体Ａ
４    筐体Ｂ
５    アンテナ
６    マイク
１１１、１１３    先端部
１１１ａ    受話孔
１１２    ガイド突起
１２    開口部
１３    スピ−カ
１４    円筒部
１４１    ガイド溝
１５    スプリング
【図１】
2004179765.tif 000003
【図２】
2004179765.tif 000004
【図３】
2004179765.tif 000005
【図４】
2004179765.tif 000006
【図５】
2004179765.tif 000007